(57)【要約】【課題】正しいアドレスの姿勢に誘導することができる装着具を提供する。【解決手段】腰ベルト、左右一対の縦ベルト、前記左右一対の縦ベルトを胸部で連結するための胸ベルト、前記左右一対の縦ベルトそれぞれに固着された左右一対の脚ベルト、および前記左右一対の縦ベルト並びに前記腰ベルトの背面側と固着されている後ろ身頃を有する装着具であって、前記左右一対の縦ベルトは、互いに交差することなく左右半身のそれぞれに装着されるものであり、各縦ベルトは、前記腰ベルトの背面側において、背中心近傍の第一固着部と、脇腹近傍の第二固着部の２か所で前記腰ベルトに固着され、前記第一・第二固着部から上方に伸びる肩にかけて着用するための上部縦ベルトと、下方に伸びる下部縦ベルトから構成され、前記下部縦ベルトの下端部に前記脚ベルトが固着されており、前記各ベルトは、いずれも伸縮性のある帯状部材からなり、前記後ろ身頃は伸縮性のある布からなる。【選択図】図１
2014133009.tif 000002
【特許請求の範囲】
【請求項１】
腰ベルト、左右一対の縦ベルト、前記左右一対の縦ベルトを胸部で連結するための胸ベルト、前記左右一対の縦ベルトそれぞれに固着された左右一対の脚ベルト、および前記左右一対の縦ベルト並びに前記腰ベルトの背面側と固着されている後ろ身頃を有するものであって、
前記左右一対の縦ベルトは、互いに交差することなく左右半身のそれぞれに装着されるものであり、各縦ベルトは、前記腰ベルトの背面側において、背中心近傍の第一固着部と、脇腹近傍の第二固着部の２か所で前記腰ベルトに固着され、前記第一・第二固着部から上方に伸びる肩にかけて着用するための上部縦ベルトと、下方に伸びる下部縦ベルトから構成されていること、
前記下部縦ベルトは、臀部を経由して膝裏上方まで伸びるものであって、前記第一・第二固着部それぞれから伸びる２本のベルト部材が、下端部に至るまでに交差して固着され、下端部では一本のベルト部材となるように構成されていること、
前記脚ベルトは、膝上方の脚に巻き付けて装着されるものであって、前記下部縦ベルトの下端部に固着されていること、および
前記各ベルトは、いずれも伸縮性のある帯状部材からなるものであり、前記後ろ身頃は伸縮性のある布からなること、
を特徴とする、装着具。
【請求項２】
前記腰ベルトおよび脚ベルトはそれぞれ、両端に長さ調節自在な接続手段が設けられた帯状部材からなることを特徴とする、請求項１に記載の装着具。
【請求項３】
前記胸ベルトが、前記左右一対の縦ベルトに第一端が固着されている左右一対の帯状部材からなり、前記各帯状部材の第二端に、長さ調節自在な接続手段が設けられていることを特徴とする、請求項１または２に記載の装着具。
【請求項４】
前記左右の上部縦ベルトが、第一固着部から真っ直ぐあるいは互いに接近するにように上行した後、背中の上半分に至るまでに角度を変え、互いに離れるように上行して肩上部に至るように構成されていることを特徴とする、請求項１〜３のいずれか１項に記載の装着具。
【発明の詳細な説明】
【技術分野】
【０００１】
本発明は、着用者を背筋の伸びた姿勢に誘導できる装着具に関し、特にゴルフのアドレス時の姿勢を正しい姿勢に誘導できる装着具に関する。
【背景技術】
【０００２】
ゴルフのスイングには、ボールを打つための構えの姿勢、すなわちアドレスの姿勢が重要であり、正しいアドレスができていないと、思い通りにボールを打つことができない。このため、従来から、正しいアドレスを習得するための装置が提案されており、例えば、特許文献１には、ゴルフの正しいアドレスと身体の動きを習得するためのゴルフ用姿勢矯正装置が開示されている。
【０００３】
また、ゴルフとは関係なく、姿勢を矯正するための装具も従来から提案されており、例えば、特許文献２には、腰痛を和らげたり、歩行を助けることができる姿勢矯正、運動促進バンドが開示されている。
【０００４】
しかし、特許文献１のゴルフ用姿勢矯正装置は、アドレス時の姿勢を、体の前方に張設したロープにより固定させているため、直立する事ができず常に前屈みの状態で行動しなければならず、装着したまま歩行や日常の動作をすることが困難であるという問題がある。
また、特許文献２の姿勢矯正、運動促進バンドは、帯状の部材（バンドおよびゴムバンド）のみからなるため、着用者が大きな動作や素早い動作（例えば、ゴルフのスイング）を行った場合にずれやすいという問題がある。
【先行技術文献】
【特許文献】
【０００５】
【特許文献１】特開平１０−２７７１９２号公報
【特許文献２】特開２００１−２３１８８３号公報
【発明の概要】
【発明が解決しようとする課題】
【０００６】
したがって、本発明は、着用者を背筋の伸びた姿勢、特にゴルフの正しいアドレスの姿勢に誘導できるとともに、歩行時や日常の動作をする際に邪魔にならず、かつ、ゴルフのスイング等の素早く大きな動きをした際にも体からずれにくい装着具を提供することを課題とする。
【課題を解決するための手段】
【０００７】
本発明に係る装着具は、
腰ベルト、左右一対の縦ベルト、前記左右一対の縦ベルトを胸部で連結するための胸ベルト、前記左右一対の縦ベルトそれぞれに固着された左右一対の脚ベルト、および前記左右一対の縦ベルト並びに前記腰ベルトの背面側と固着されている後ろ身頃を有するものであって、
前記左右一対の縦ベルトは、互いに交差することなく左右半身のそれぞれに装着されるものであり、各縦ベルトは、前記腰ベルトの背面側において、背中心近傍の第一固着部と、脇腹近傍の第二固着部の２か所で前記腰ベルトに固着され、前記第一・第二固着部から上方に伸びる肩にかけて着用するための上部縦ベルトと、下方に伸びる下部縦ベルトから構成されていること、
前記下部縦ベルトは、臀部を経由して膝裏上方まで伸びるものであって、前記第一・第二固着部それぞれから伸びる２本のベルト部材が、下端部に至るまでに交差して固着され、下端部では一本のベルト部材となるように構成されていること、
前記脚ベルトは、膝上方の脚に巻き付けて装着されるものであって、前記下部縦ベルトの下端部に固着されていること、および
前記各ベルトは、いずれも伸縮性のある帯状部材からなるものであり、前記後ろ身頃は伸縮性のある布からなること、
を特徴とする。
【０００８】
本発明によれば、左半身に装着される左の縦ベルトおよび右半身に装着される右の縦ベルトがそれぞれ、腰ベルトの背面側の２か所に固着され、そこから上半身側に伸びる上部縦ベルトと下半身側に伸びる下部縦ベルトから構成されている。そのため、本発明に係る装着具を着用すると、肩にかけられた前記上部縦ベルトによって、着用者の上半身に、肩、背部、腰にかけて引き寄せる力が働き、肩が後方（背側）に引かれ、背筋の伸びた姿勢へ誘導される。
また、下部縦ベルトは、第一固着部から下方に伸びるベルト部材と、第二固着部から下方に伸びるベルト部材の２本から構成され、これらは下端部に至るまでに交差して固着されて下端部では一本のベルト部材となるように構成され、下端部に脚に巻き付けて固定するための脚ベルトが固着されている。そのため、本発明に係る装着具を着用すると、膝、臀部、腰にかけて引き寄せる力が強く働き、かつ２本のベルトが臀部上部を経由するため、下部縦ベルトが身体からずれにくい。
また、後ろ身頃が、腰ベルトと縦ベルトの背面側に固着されているため、各ベルトの相対位置が固定され、着用者が大きな動作や素早い動作を行った場合にも各ベルトが正しい位置に保たれる。また、後ろ身頃により背面側の腰ベルトおよび縦ベルトが補強されるため、肩から腰に、および膝から腰にかけて引き寄せる力がより大きくなる。
また、左右の縦ベルトが左右半身それぞれに交差することなく装着されるため、左と右の半身を独立して動かしやすいが、その一方、両者の背面側は後ろ身頃に固着されており、また、胸ベルトにより両者が正面側（胸側）で連結されるので、左右の半身の一方の動きが他方にも伝わり、左右のバランスを意識しやすい。
【０００９】
また、前記腰ベルトおよび脚ベルトを、両端に長さ調節自在な接続手段が設けられた帯状部材とすれば、着用者が、容易に長さを調節しながら装着具を着脱することができる。
【００１０】
また、前記胸ベルトを、前記左右一対の縦ベルトに第一端が固着されている左右一対の帯状部材とし、当該帯状部材の第二端に、長さ調節自在な接続手段を設ければ、着用者が、容易に胸部の中央で長さを調節しながら、胸ベルトを連結することができる。
【００１１】
また、左右の上部縦ベルトを、第一固着部から真っ直ぐあるいは互いに接近するにように上行した後、背中の上半分に至るまでに角度を変え、互いに離れるように上行して肩上部に至るように構成することにより、上部縦ベルトを上半身にしっかり固定することができる。
【発明の効果】
【００１２】
本発明の装着具は、着用者を背筋の伸びた姿勢に誘導することができる。また、ゴルフを行う際に着用すると、着用者を正しいアドレスの姿勢に誘導することができる。そして、本発明の装着具は、歩行時や日常の動作をする際に邪魔にならず、かつ、ゴルフを行う際にも体からずれにくい。
【図面の簡単な説明】
【００１３】
【図１】図１は、本発明に係る装着具の一実施例の背面図である。
【図２】図２は、図１の装着具の後ろ身頃の背面図である。
【図３】図３は、図１の装着具の左半身を拡大した図である。
【図４】図４は、着用者が図１の装着具を着用し、直立している状態を示す正面図である。
【図５】図５は、着用者が図１の装着具を着用し、直立している状態を示す左側面図である。
【図６】図６は、着用者が図１の装着具を着用し、直立している状態を示す背面図である。
【図７】図７は、着用者が図１の装着具を着用し、良いアドレスをしている状態を示す図である。
【図８】図８は、着用者が図１の装着具を着用し、円背・右肩下がりのアドレスをしている状態を示す図である。
【図９】図９は、着用者が図１の装着具を着用し、極端な前のめりのアドレスをしている状態を示す図である。
【発明を実施するための形態】
【００１４】
以下、図面を参照して、本発明に係る装着具についてより具体的に説明する。
図１は、本発明に係る装着具の一実施例を示す図であって背面図であり、図２は図１の装着具の後ろ身頃を示す背面図であり、図３は、図１の装着具の左半身を拡大した図であり、図４〜図６は、着用者が図１の装着具を着用し、直立している状態を示す図であって、図４は正面図、図５は左側面図、図６は背面図である。
図に示すように、本発明に係る装着具１は、伸縮性帯状部材からなる腰ベルト２と、腰ベルト２に固着された左右一対の縦ベルト３（３ａ〜３ｄからなる）を有しており、左右の縦ベルト３は互いに交差することなく、着用者の右半身または左半身に装着される。左右の縦ベルト３はそれぞれ、腰ベルト２より上半身側に位置する上部縦ベルト３Ｕ（３ａと３ｂからなる）と下半身側に位置する下部縦ベルト３Ｌ（３ｃと３ｄからなる）から構成されている。前記縦ベルト３は複数の伸縮性帯状部材を一本に縫い合わせて構成されている。上部縦ベルト３Ｕは、前記腰ベルトの背面側において、背中心近傍の第一固着部Ａ１と、脇腹近傍の第二固着部Ａ２の２か所で腰ベルト２に固着されているため、肩にかけて着用した際、上部縦ベルト３Ｕは、前記第一固着部Ａ１から、上方に伸び、肩甲骨中腹を通り、鎖骨から腋窩を経由して腰背部に伸びて、前記第二固着部Ａ２に至る（図４〜図６参照）。そのため、左右の肩がそれぞれ背面側に引かれることになり、着用者の姿勢を胸を張った状態に誘導することができる。
【００１５】
また、左右の縦ベルト３は交差せず、互いに独立しているが、後ろ身頃に各縦ベルトの背面側が固着され、胸ベルト４により、右半身側と左半身側の上部縦ベルト３Ｕが胸部で連結されるため、ゴルフのスイングのような体をねじる動きをした際にも、上部縦ベルト３Ｕが身体からずれにくい。また、左右の上部縦ベルト３Ｕの動きが互いに伝達されるため、身体の軸がずれたり、姿勢が歪んだりしている場合は、伸びた方の上部縦ベルト３Ｕが元に戻ろうとする力が、他方にも伝わる。そのため、より効果的に、正しい姿勢に誘導することができる。
【００１６】
また、前記下部縦ベルト３Ｌは、臀部を経由して膝裏上方まで伸びるものであって、前記第一固着部Ａ１・第二固着部Ａ２それぞれから伸びる２本のベルト部材（３ｃ・３ｄ）が、下端部に至るまでに交差して固着され、下端部では一本のベルト部材となるように構成されている。このため、装着具を着用した状態では、臀部の中心付近を経由する３ｃと側面付近を経由する３ｄの２本が臀部にフィットするため、ゴルフのスイングのような体をねじる動きをした際にも、下部縦ベルト３Ｌが身体からずれにくい。
【００１７】
縦ベルト３が、上記のように構成されていることにより、着用時に背中が丸まっていると、縦ベルト３の背面側のベルト３ａが伸ばされ、戻ろうとする力（縦ベルトが縮もうとする力）が着用者に圧迫感を与えるため、着用者の身体が自然に背筋を伸ばす姿勢に誘導される。また、着用時に体の軸がずれていれば、上部縦ベルト３Ｕや、下部縦ベルト３Ｌの左右いずれかが伸ばされ、戻ろうとする力が着用者に圧迫感を与えるため、着用者の身体が自然に軸の傾きを戻す方向に動き、正しい姿勢に誘導される。
【００１８】
また、前記脚ベルト５は、膝上方の脚に巻き付けて装着されるものであって、前記下部縦ベルト３Ｌの下端部に固着されているため、装着具を着用した状態で、腰（股関節）が捻じれていたり歪んでいたりする場合は、下部縦ベルト３Ｌの左右いずれかが伸ばされ、伸ばされた方の下部縦ベルト３Ｌの下端部に固着されている脚ベルト５に抵抗がかかった状態になり、着用者に左右異なる抵抗感（圧迫感）を与える。左右の抵抗感が同じ状態になるように腰を伸ばしていくことにより、自然に捻じれや歪みのない姿勢に戻すことができるため、着用者を正しい姿勢に誘導することができる。
【００１９】
図２は、後ろ身頃のみを示す図である。後ろ身頃６は、縦ベルト３の背面側、すなわち、上部縦ベルト３Ｕのうち、３ａ（第一固着部〜肩上部）全体と、３ｂ（第二固着部〜肩上部）の下方、および下部縦ベルト３Ｌを構成する３ｃ・３ｄ両方を固着できる形状に形成されている。また、腰ベルト２の背面側も後ろ身頃６に固着される。このように、後ろ身頃６に縦ベルト３と腰ベルト２の背面側が固着されているため、前記各ベルトの背面側の相対位置が後ろ身頃６によって固定される。このため、体の前方（胸側）で腰ベルト２や胸ベルト４の長さを調節しても、背面側のベルトの位置はほとんど変わらない。さらに、後ろ身頃６が着用者の背部（背中および臀部の一部）を覆うことにより、装着具１がずれにくくなる。着用時に各ベルトが正しい着用位置からずれると、姿勢を誘導するための負荷を適切に与えることができないが、本発明の装着具は、上述した後ろ身頃の存在により、ゴルフのスイングのように、体全体を素早く捩じる動作をしたときでさえ、前記各ベルトを正しい位置に保つことができる。
なお、後ろ身頃６は、左右の脚をそれぞれ独立して動かすことができるように、左右の下部縦ベルト３Ｌの間には存在しないことが望ましい。後ろ身頃６をこのように構成することにより、着用者がスムーズに動くことができる。
【００２０】
本発明の装着具において、腰ベルト、縦ベルト、胸ベルト、脚ベルトのそれぞれは伸縮性のある帯状部材からなり、後ろ身頃は伸縮性のある布からなる。したがって、各ベルトおよび後ろ身頃は、身体の動きに合わせて伸縮可能であり、且つ、伸ばされた状態になると元に戻ろうとする力が働くため、着用者を正しい姿勢に誘導することができる。
【００２１】
次に、本発明の装着具の着用方法を説明する。
まず、上部縦ベルト３Ｕからなるループに、腕を通し、肩にかける。その後、腰ベルト２を腰部に巻き付け、長さを調節しながら、丹田（臍の少し下）で、両端に設けられた接続手段（図に示す実施例では、面ファスナ）を接続することにより、腰ベルト２を腰に固定する。その後、左右の上部縦ベルト３Ｕに固着されている左右の胸ベルト４の長さを調節しながら、胸の前部で接続手段（図に示す実施例では、面ファスナ）により左右の胸ベルト４を連結する。その後、体格に合わせて、余分なゆとりやツッパリがないように腰ベルト２や胸ベルト４の長さ、上部縦ベルト３Ｕの位置を調整する。次に、脚ベルト５を膝上近傍に巻き付け、両端に設けられた接続手段（図に示す実施例では、面ファスナ）を接続することにより、脚ベルト５を膝上に固定する。脚ベルト５に余分なゆとりやツッパリがある場合は、脚ベルト５の位置や長さを調製する。
【００２２】
図４〜６に、着用者が身体を真っ直ぐにして立っている状態を示す。この状態では違和感や突っ張り感などは感じない。
【００２３】
図７は、着用者がゴルフの良いアドレスをとっている状態を示す。かかとの内側を肩幅の広さに、つま先は肩幅よりやや広めのスタンスを取り、股関節から上体を前傾させ、体重が爪先に乗った状態を確認してから軽く膝を曲げる。この時、肩から膝、脚の親指が一直線上にきていれば正しいアドレスになっている。良いアドレスでは左半身と右半身のバランスが取れており、腰が曲がりすぎていないため、装着具を着用した際、腰中心に向けて力が左右均等にかかるため違和感がない。 このままスイングを始動すると、着用者は腰を軸とした動きを自然に行うことができる。
【００２４】
図８は、着用者が円背・右肩下がりの姿勢をとっている状態を示す。着用者が極端に右肩を下げると左肩部のベルトのテンションが高くなり、違和感を感じるため、自然に左右のテンションが均等になるような正しい姿勢に戻したくなる。またこの状態で円背になっていると、両肩を後ろに引き戻して胸郭を開けようとする力が着用者にかかるため、自然とアドレスが良い状態となる姿勢に誘導される。
【００２５】
図９は、着用者が極端な前のめりの姿勢をとっている状態を示す。着用者がこのような姿勢を取ると、上部および下部縦ベルトのテンションが高くなり、両肩を後ろに引き戻して胸郭を開けようとする力が着用者にかかるため、自然とアドレスが良い状態となる姿勢に誘導される。
【００２６】
次に、本発明の装着具を構成する部材について、より具体的に説明する。上述の通り、本発明の装着具を構成する各ベルトは、伸縮性を有する帯状部材からなる。このような帯状部材の好ましい例として、リブ編みによって長手方向に伸縮可能に形成された帯状部材が挙げられる。各ベルトの幅は３ｃｍ〜７ｃｍ程度が好ましく、４〜６ｃｍ程度が特に好ましい（図に示す実施例では、各ベルトの幅はいずれも５ｃｍ）。細すぎると、伸びた際に元に戻ろうとする力が弱いため、正しい姿勢に誘導する効果が低下する。他方、太すぎると着用者がスムーズに動きにくくなる。
【００２７】
本発明の装着具に使用される後ろ身頃は、伸縮性を有する布から構成される。このような布の好ましい例として、一般に、パワーネット、トリコネット、サテンネット、ツーウェイトリコット、ツーウェイラッセルと呼ばれている各布が挙げられる。
【００２８】
各ベルト同士を固着する手段、および後ろ身頃とベルトを固着する手段としては縫製が好ましいが、固着手段はこれに限られず、接着剤等により固着してもよい（図に示す実施例では、縫製によって、各ベルト同士、および、後ろ身頃とベルトを強固に固着している）。
【００２９】
腰ベルトおよび脚ベルトはそれぞれ、両端に長さ調節自在な接続手段が設けられた帯状部材であることが好ましい。図に示す実施例では、腰ベルト・脚ベルトは、第一端に面ファスナのループ面、第二端に面ファスナのフック面を設けた帯状部材からなり、腰または脚にベルトを巻き付けて、腰または脚の前方で長さを調節しながら面ファスナを接合する構成としている（図１参照。図１では、腰ベルトおよび脚ベルトに設けられた両端の面ファスナのうち、片方の面ファスナは裏側に位置するため、図示していない）。
【００３０】
また、胸ベルトも長さ調節自在であることが好ましい。図に示す実施例では、胸ベルトを２つの短い帯状部材で構成し、左右の上半身縦ベルトそれぞれに前記短い帯状部材の第一端を固着し、第二端に接続手段（図に示す実施例では面ファスナ）を設け、２つの帯状部材の第二端同士を胸部中心で重ね、面ファスナを接合する構成としている（図４参照。図４では、胸ベルトの面ファスナが接合されている状態を示すため、面ファスナは図示されていないが、２本の胸ベルトの一方には面ファスナのループ面が、他方には面ファスナのフック面が形成されており、ループ面とフック面を重ねることにより、胸ベルトが連結されている。）。
【００３１】
腰ベルト、脚ベルトおよび胸ベルトを上述のように構成することにより、着用者が本発明の装着具を着用する際に、腰ベルト、胸ベルト、脚ベルトの長さを容易に調節することができ、且つ装着具の着脱を容易に行うことができる。
【００３２】
なお、図に示す実施例では、長さ調節を自在にするための接続手段として、面ファスナを採用しているが、前記接続手段は面ファスナに限られない。他の接続手段として、例えば、ボタン、鉤ホック、スナップ、こはぜ等の係止具を複数の位置に設けて、係止位置を変えることにより、長さ調節自在に形成したものが挙げられる。
【００３３】
また、上部縦ベルト、下部縦ベルトに長さ調節手段を設けてもよい。
【００３４】
また、前記第一固着部（背中心近傍）および第二固着部（脇腹近傍）の位置は、着用者の身体の大きさ等によって、適宜調節すればよい。例えば、図に示す実施例の装着具は、小柄な着用者（身長１５０ｃｍ〜１６０ｃｍ、体重４５〜６０ｋｇ程度）を対象としており、背中心（着用時に背骨と重なる位置）から前記第一固着部と第二固着部のそれぞれの中心（腰ベルトと縦ベルトの重なりから形成される平行四辺形の対角線の交点）までの距離ｄ１、ｄ２（図３参照）は、それぞれ、ｄ１＝約６ｃｍ、ｄ２＝約１６ｃｍに形成されている。一般に、ｄ１は約４ｃｍ〜約１０ｃｍが適切である。ｄ２は、着用者の腰回りのサイズによって大きく異なるが、第二固着部が、着用者の脇腹の後方（背側）に位置することが好ましいため、着用者の腰回りの長さの１／５〜１／４の長さとすることが好ましい。
【００３５】
また、上部縦ベルトのうち、第一固着部から肩上部に至る３ａを、２本の帯状部材で構成することにより、角度が途中で変わるように構成することが好ましい。具体的には、図３に示すように、左右のベルト３ａは、腰ベルトに対し、内角ａ１が７０°〜９０°（図に示す実施例では７５°〜８０°）になるように固着された第一の帯状部材３ａ１と、腰ベルトから約６〜１２ｃｍ（図に示す実施例では約８ｃｍ）上方で、第一の帯状部材３ａ１の上向方向に対する角度（ａ２）が約１５°〜２５°（図に示す実施例では約２０°）となるように連結された第二の帯状部材３ａ２からなることが好ましい。このように構成することにより、左右の上部縦ベルトは、第一固着部から真っ直ぐ又は互いに少しずつ接近するようにして上行し、着用者の背中の上半分に至るまでに角度を変え、そこから互いに少しずつ離れるように上行し、肩上部に至る。３ａをこのように構成することにより上部縦ベルトを着用者の上半身にしっかり固定することができる。
また、図３に示すように、３ｃと、３ａ１を連続する一本の帯状部材で構成することが好ましい。
背面側の縦ベルト３ａおよび３ｃを上述のように構成することにより、腰部中心に向けて力が集まりやすくなる。
【００３６】
また、下部縦ベルト３Ｌを構成する３ｃおよび３ｄは、着用者の臀部下方〜大腿部上部の位置で交差することが好ましい。このように構成することにより、下部縦ベルトが臀部からずれにくくなる。
また、３ｄは３ｃと交差したところで終わり、３ｃが下方に伸びて、脚ベルトと固着されることが好ましい。このように構成することにより、膝、臀部、背中心付近の第一固着部にかけて引き寄せる力が働くため、腰部中心に向けて力が集まりやすくなる。
【産業上の利用可能性】
【００３７】
本発明に係る装着具は、ゴルフのアドレス時の姿勢を正しい姿勢に誘導するのに特に有効であり、着用するだけで腰を中心として、肩、膝、背中などを自然と良いアドレスに誘導してくれるので、ゴルフで重要なアドレスの姿勢を自然と身に付けることができる。
また、本発明に係る装着具は、背中、腰および大腿部の筋肉をサポートし、特に腰にかかる負荷を軽減できるため、重い荷物を持つ際などに着用するにも適している。
【符号の説明】
【００３８】
１  装着具
２  腰ベルト
３  縦ベルト
３Ｕ  上部縦ベルト（３ａ：第一固着部〜肩上部  ３ｂ：第二固着部〜肩上部）
３Ｌ  下部縦ベルト（３ｃ；第一固着部〜脚ベルト  ３ｄ：第二固着部〜３ｃ）
４  胸ベルト
５  脚ベルト
６  後ろ身頃
Ａ１  第一固着部
Ａ２  第二固着部
【図１】
2014133009.tif 000003
【図２】
2014133009.tif 000004
【図３】
2014133009.tif 000005
【図４】
2014133009.tif 000006
【図５】
2014133009.tif 000007
【図６】
2014133009.tif 000008
【図７】
2014133009.tif 000009
【図８】
2014133009.tif 000010
【図９】
2014133009.tif 000011